(57)【要約】【課題】  操作部をもつ画像形成装置の操作処理システムにおいて、ユーザが通常のフォルダを開く操作を行う場合、ファイルやフォルダに対し煩雑な操作を必要としない装置あるいはシステムを提供する。【解決手段】  操作部をもつ画像形成装置の操作処理システムにおいて、印刷または送信可能な文書を格納する手段、前記文書を少なくとも１つ以上まとめて管理する手段、前記操作部に表示された画面において、選択された対象がフォルダである場合には、そのフォルダを開く手段、前記操作部に表示された画面において、選択された対象がファイルである場合には、そのファイルを選択状態にする処理手段から成る【選択図】  図１
2010258590.tif 000002
【特許請求の範囲】
【請求項１】
操作部をもつ画像形成装置の操作処理システムにおいて、
印刷または送信可能な文書を格納する格納手段と、（２００３・２００４）
前記文書を少なくとも１つ以上まとめて管理するフォルダ管理手段と、
前記操作部に表示された画面において、選択された対象がフォルダである場合には、そのフォルダを開くフォルダ表示処理手段と、（Ｓ９０６）
前記操作部に表示された画面において、選択された対象がファイルである場合には、そのファイルを選択状態にする、ファイル表示処理手段、（Ｓ９０７）
を有する画像形成装置から構成される操作処理システム。
【請求項２】
請求項１のフォルダ表示処理手段において、直前にファイルが選択されている状態である場合は、ファイルの選択状態を解除してフォルダを表示するフォルダ表示処理手段（Ｓ９０６）
を有する画像形成装置から構成される請求項１に記載の操作処理システム。
【請求項３】
請求項１のファイル表示処理手段の後、オペレータが前記表示処理されたファイルの操作設定を指定し操作するファイル設定処理手段（Ｓ９１４）
を含む画像形成装置から構成される請求項１又は請求項２に記載の操作処理システム。
【請求項４】
請求項１のファイル表示処理手段において、ファイルが特定の目的の設定操作しか出来ない場合は、ファイル選択状態でなく、ファイルの目的の設定操作を行う画面を表示するファイル表示処理手段（Ｓ９０８）
を有する画像形成装置から構成される請求項１〜請求項３のいずれかに記載の操作処理システム。
【発明の詳細な説明】
【技術分野】
【０００１】
本発明は、プリンタ等の複合画像形成装置が有する操作部の処理設定を行う情報処理装置に関するものである。
【背景技術】
【０００２】
近年の画像形成装置は、装置単体のみならず、ネットワークコピーやネットワークプリントなど、それらの装置が互いに連携して、新たな機能を提供するようになり、機能の種類や複雑さは増加の一途を辿っている。
【０００３】
例えば、印刷文書やコピー文書を画像形成装置の中に記録させておき、必要に応じて、所望の文書を印刷あるいはネットワーク上の他の画像形成装置やＰＣなどへ送信することが可能となっている。
【０００４】
このような機能を実現するために、例えば記録された印刷文書やコピー文書は、画像形成装置中に、ファイルとして保存され、その階層はＰＣなどの情報処理装置と同様、フォルダ階層に似た形式で保存されていることも知られている。さらには、ユーザに所望の保存文書を選択させるために、所定のフォルダやファイルを選択するためのブラウズ画面を備えている。
【０００５】
さらには、特許文献１では、階層化された複数のフォルダ情報を表示し、表示対象となるフォルダを指定すると、指定フォルダの下位階眉フォルダ情報あるいはファイル情報を取得する。さらに、その指定フォルダの親となる上位階層の親フォルダ情報と、その親フォルダの子となる上記指定フォルダを含む下位階層のフォルダ情報とを取得する。そして、各情報を各階層別に表示する技術が知られている。
【先行技術文献】
【特許文献】
【０００６】
【特許文献１】特開平１１−３３８６０４号公報
【発明の概要】
【発明が解決しようとする課題】
【０００７】
しかしながら，前述の方法では、所定のフォルダやファイルを選択するためのブラウズ画面において、まずフォルダあるいはファイルを選択する。その後、フォルダ選択の場合は、フォルダに対する操作として、フォルダを開く、フォルダを削除、フォルダ名称変更などの指定を行う必要がある。従って、ユーザが通常のフォルダを開く操作を行う場合は、最初にフォルダを選択し、次に、フォルダを開く操作を行わなければならず、煩雑な操作を必要としていた。
【０００８】
また、ファイル選択の場合は、ファイルに対する操作として、ファイル印刷、ファイル送信、ファイル削除、ファイル名称変更などの操作を行う必要がある。さらには、ファイルによっては、印刷不可能であったり、送信不可能であるファイルが存在し、ファイルに対する操作が一意に決まる場合がある。従って、ユーザがある一意の操作を行う場合でも、最初にファイルを選択し、次に、ファイルに対する操作を行わなければならず、煩雑な操作を必要としていた。
【課題を解決するための手段】
【０００９】
本発明は上記課題を鑑みてなされたものであり、
操作部をもつ画像形成装置の操作処理システムにおいて、印刷または送信可能な文書を格納する格納手段と、前記文書を少なくとも１つ以上まとめて管理するフォルダ管理手段と、
前記操作部に表示された画面において、選択された対象がフォルダである場合には、そのフォルダを開くフォルダ表示処理手段と、前記操作部に表示された画面において、選択された対象がファイルである場合には、そのファイルを選択状態にする、ファイル表示処理手段、
を提供する。
【００１０】
さらに、
前記フォルダ表示処理手段においては、直前にファイルが選択されている状態である場合は、ファイルの選択状態を解除してフォルダを表示するフォルダ表示処理手段
を提供する。
【００１１】
さらに、
前記ファイル表示処理手段の後、オペレータが前記表示処理されたファイルの操作設定を指定し操作するファイル設定処理手段
を提供する。
【００１２】
さらに、前記ファイル表示処理手段において、ファイルが特定の目的の設定操作しか出来ない場合は、ファイル選択状態でなく、ファイルの目的の設定操作を行う画面を表示するファイル表示処理手段
を提供する。
【発明の効果】
【００１３】
以上説明したように、本発明によれば、ファイルやフォルダ選択時の表示方法を制御するので、ファイルやフォルダに対し煩雑な操作を必要とせず、フォルダを開いたりファイルに対する操作を行うことが可能になる。
【図面の簡単な説明】
【００１４】
【図１】本発明における画像形成装置のブロック図である。
【図２】本発明における画像形成装置の側断面図である。
【図３】本発明における画像形成装置の操作部である。
【図４】本発明におけるフォルダ管理状態を表すテーブルである。
【図５】本発明におけるＵＩ画面の一例である。
【図６】本発明におけるフォルダ展開したＵＩ画面の一例である。
【図７】本発明におけるプリント設定のＵＩ画面の一例である。
【図８】本発明におけるフォルダ操作のＵＩ画面の一例である。
【図９】本発明の実施例における処理概要を示すフローチャートである。
【発明を実施するための形態】
【００１５】
以下に、図面を参照して、この発明の好適な実施の形態を例示的に詳しく説明する。ただし、この実施の形態に記載されている構成要素の相対配置、数値等は、特に特定的な記載がない限りは、この発明の範囲をそれらのみに限定する趣旨のものではない。
【実施例１】
【００１６】
[画像形成装置の基本説明]
図１は、画像形成装置の主要部の構成を示すブロック図である。
【００１７】
画像形成装置はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行なう。それとともに、ＬＡＮ１００６や公衆回線１００８（ＷＡＮ）に接続することによって、画像情報やデバイス情報の入出力を行なうための制御を行なう。
【００１８】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げる。このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【００１９】
ＣＰＵ２００１には、システムバス２００７を介して、ＲＯＭ２００３およびＲＡＭ２００２とともに、操作部Ｉ／Ｆ２００６、ネットワークＩ／Ｆ２０１０、モデム２０５０およびイメージバスＩ／Ｆ２００５が接続される。
【００２０】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００２１】
次に、ネットワークＩ／Ｆ２０１０は、ＬＡＮ１００６に接続され、ＬＡＮ１００６を介してＬＡＮ１００６上の各装置との間で情報の入出力を行なう。モデム２０５０は、公衆回線１００８に接続され、公衆回線１００８を介して情報の入出力を行なう。
【００２２】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００２３】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行なう。スキャナ画像処理部２０８０は、入力画像データに対し補正、加工、編集を行なう。プリンタ画像処理部２０９０は、プリント出力画像データに対してプリンタ２０９５に応じた補正、解像度変換などを行なう。画像回転部２０３０は、画像データの回転を行なう。画像圧縮部２０４０は、多値画像データをＪＰＥＧデータに、２値画像データをＪＢＩＧ、ＭＭＲ、ＭＨなどのデータに圧縮するとともに、その伸張処理を行なう。
【００２４】
次に、スキャナ２０７０およびプリンタ２０９５のハードウェア構成について図２を参照して説明する。
【００２５】
図２は、図１に示すスキャナ２０７０およびプリンタ２０９５のハードウェア構成を示す側断面図である。
【００２６】
スキャナ２０７０とプリンタ２０９５とは、図２に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００２７】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２８】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステープルなどの後処理を施すことが可能なシート処理装置からなる。
【００２９】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００３０】
図３は、図１に示す操作部２０１２の構成を示す平面図である。
【００３１】
ＬＣＤ表示部２０１３は、ＬＣＤ上にタッチパネルシートが貼られた構造となっており、画像形成装置の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、緑と赤の２色ＬＥＤ２０１８が設けられ、その色によってスタートキー２０１４が使える状態にあるか否かを示す。ストップキー２０１５は、稼働中の動作を止めるときに操作される。ＩＤキー２０１６は、使用者のユーザＩＤを入力する時に用いられる。リセットキー２０１７は、操作部２０１２からの設定を初期化する時に用いられる。
【００３２】
ＵＳＢＩ／Ｆ２０９６は、装置に設けられたＵＳＢ接続口に接続された、ＵＳＢメモリとの通信を行なう。
【００３３】
スキャナ２０７０で読み取られスキャナ画像処理部２０８０で所定の処理を行なわれた画像データは、ＵＳＢＩ／Ｆ２０９６を通じて、装置に接続されているＵＳＢメモリに格納される。
【００３４】
またＵＳＢＩ／Ｆ２０９６はＵＳＢメモリに格納されている画像データを読み出し、プリンタ画像処理部２０９０でプリント可能な画像データに変換し、プリンタ２０９５で印刷する。
【００３５】
ガイドキー２０１９はＬＥＤを配したハードキーである。操作部２１０２は、ユーザがガイドキー２０１９を長押し（３秒以上）していることを検知すると、キーコード“0x93”を発生し、操作部Ｉ／Ｆ２００６を通じＣＰＵ２００１に通知する。同様に操作部２１０２は、ユーザがガイドキー２０１９を短押し（３秒未満）したことを検知すると、キーコード“0x92”を発生し、操作部I/F２００６を通じＣＰＵ２００１に通知する。
【００３６】
次に図４乃至図９のテーブル、フローチャート、ＵＩ図を参照して、本実施の形態の動作方法について説明する。
【００３７】
本実施の形態では、操作部２０１２上において、フォルダおよびファイルがリストされているのＵＩ画面が表示され、オペレータがフォルダを選択（クリック）すると、そのフォルダの中身を展開した新たなＵＩリストを表示する。さらに、前述のＵＩ画面において、オペレータがファイルを選択すると、ファイルの設定項目が一意に決まる場合は、その設定画面を表示する。
【００３８】
図４は、操作部２０１２上に表示するフォルダリストを管理するテーブルの例を示した図である。
【００３９】
ここでは、フォルダが合計２つ存在していることを示している。そしてそれぞれ、フォルダＩＤとともに格納されている。図４（ａ）はフォルダＩＤが１に割り当てられたフォルダの例を示している。このテーブルでは、それぞれ格納されているフォルダやファイルのＩＤ、それらの名称が管理されている。また種類として、フォルダであれば０、ファイルであれば１の値が格納されている。
【００４０】
サイズは、ファイルのサイズを格納している。フォルダにはサイズを格納していない。さらに、フォルダ、ファイルともに、作成あるいは登録された日付や時刻を格納している。
【００４１】
ファイル属性は、種類がファイルのものに対し、１あるいは２が格納されている。ここで、ファイル属性が１のものは、例えば、ファイルに対する設定が一意に決まるものを示している。ファイルに対する設定とは、例えば、指定したファイルを画像形成装置のプリンタ部２０９５へプリントする、あるいは、ネットワークＩ／Ｆ２０１０やモデム２０５０を経由して、外部にファイル送信するなどの設定がある。ファイルによっては、ファイルサイズ制限により、外部に送信できないものがある。そのような場合は、例えばプリント設定のみ可能となる。このようなケースにおいては、ファイル別に、送信とプリントが両方可能であるか、プリントのみ可能であるかが決定する。これらの判定は事前に確定しておいてもかまわないし、ファイル選択時にその都度判断し、決定してもかまわない。プリントのみ可能の場合、図４のテーブルでは１を設定し、送信とプリント両方可能な場合は２を設定している例を示している。
【００４２】
次に、リンクは、各テーブル中のファイル種類が、０、すなわちフォルダである場合、フォルダの中身のリストを示すフォルダＩＤを格納している。図４の例では、図４（ａ）において、フォルダＩＤが１に属するＩＤ＝１の“ＡＡＡＡＡＡＡ”というファイルは種類が０なので、フォルダを意味している。そしてリンクには２が格納されている。すなわち、フォルダ“ＡＡＡＡＡＡＡ”の中に展開されているファイルは、図４（ｂ）で示すフォルダＩＤ２にリストされているファイルとなる。フォルダＩＤ２には、３つのファイルが格納されていて、それら全ては、種類が１となっている例を示している。従って、さらに下位のフォルダは存在していない。フォルダＩＤ２においても、種類０のフォルダを格納することは可能であり、その場合は同様に、リンク欄に、そのフォルダが含むリストのリンク先である、別のフォルダＩＤを格納することになる。
【００４３】
前述のリンクの欄には、例えばフォルダＩＤ１のＩＤ２やＩＤ３においては、種類が１のファイルであるため、リンク欄は格納されていない。（ＮＵＬＬとなっている）
次に図５を用いて、図４の各テーブルのリストが、本実施の形態でどのように表示されるかを説明する。
【００４４】
図５は前記図１の操作部２０１２に表示されるＵＩの一例を示している。
【００４５】
このＵＩの例において、５０１は図４（ａ）で示した、フォルダＩＤ１のリストを表示している例である。５０１では、図４（ａ）のテーブルに従って、名称、種類、サイズ、日付／時刻の表示を行っている。種類はアイコンで示されており、この例では、前記図４の種類が０、すなわちフォルダは、“■”で示され、ファイルは、“?”で示されている。このアイコンは単なる一例であり別のアイコンや文字列での表示も可能である。また、選択の列は、例えばチェックマークなどを表示し、オペレータがファイルの名称等、列をクリックしたときに、現在選択したファイルを視覚的に示す様にしている。５０１の例では、ファイル名称“ＢＢＢＢＢＢＢ”をオペレーターが選択した様子を示している。
【００４６】
５０２はボタン押下により、前の表示画面に戻るための戻るボタンの例である。５０３はボタン押下により、現在の画面のリストである５０１を最新の情報に更新するための更新ボタンである。５０４はボタン押下により、リスト５０１に表示されているフォルダに対してフォルダ操作を行うためのフォルダ操作ボタンである。５０５はボタン押下により、オペレータが選択したファイルの選択解除を行う為の選択解除ボタンである。５０６はボタン押下により、現在選択されているファイルの詳細情報を表示するための詳細表示ボタンである。５０７はボタン押下により、現在選択されているファイルの画像情報を表示するための画像表示ボタンである。詳細情報や画像情報についての詳細はここでは割愛するが、前述の図４の各テーブルにおける、各ファイルに紐付けられている。そして同様に、図１のＲＡＭ２０００３やＨＤＤ２００４に格納され、必要に応じてＣＰＵ２００１で制御され、操作部Ｉ／Ｆ２００６を経由して操作部２０１２に表示されることになる。
【００４７】
５０８はボタン押下により、リスト５０１に表示されているファイルに対してファイル操作を行うためのその他のファイル操作ボタンである。
【００４８】
５０９はボタン押下により、選択されたファイルに対するその他の設定処理をおこなうボタンである。５１０ははボタン押下により、選択されたファイルをプリントするための設定処理を行う、プリントするボタンである。５１１はこの画面のタイトルや現在のフォルダ階層等の情報を表示している。
【００４９】
さらに今回、図５では図示しなかったが、ＵＩ上には他の機能をもったボタンを配置することも可能である。
【００５０】
本実施の形態では、オペレータが５０１のリストの中からフォルダを選択すると、自動的にそのフォルダ内容を表示する。図６は、前述の図５の５０１のリスト中のフォルダ“ＡＡＡＡＡＡＡ”を選択した際に展開されるリストを表示した画面である。図中６０１はそのリスト内容を表示しており、前述の図４で説明した、フォルダ“ＡＡＡＡＡＡＡ”のリンク欄に格納されている、フォルダＩＤ２のリスト内容となっている。さらに、図６の画面には図５と同様、各種ボタンが表示され、同様の操作が可能となっている。
【００５１】
図７は前述の図５において、５０１のプリントするボタンを押下したときの画面の一例である。図７の画面では、詳細は割愛するが、前記図５でオペレータが選択したファイルのプリントを行う各種設定画面とプリント開始ボタン等を表示している。
【００５２】
図８は、前述の図５において、５０４のフォルダ操作ボタンを押下したときに表示する画面の一例を示している。フォルダ操作画面では、前述の５０１のリスト内容と同様のリスト内容を表示し、さらに、フォルダを選択状態にして表示する。そして、フォルダに対する操作として、フォルダの詳細表示、新規フォルダの作成、フォルダの検索、フォルダの消去などの設定処理を行うボタンが表示されている。また、作業の中止を行うための中止ボタンも表示されている。図８では図示していないが、このＵＩ上には他の機能をもったボタンを配置することも可能である。
【００５３】
図９は本実施の形態を示すフローチャートである。
【００５４】
まずステップＳ９０１で、本実施の形態を説明する際の最初の画面として、前述の図５の画面を表示する。次にステップＳ９０２で次のオペレータの指示を待つ。そして、オペレータの指示内容によって処理を分岐する。
【００５５】
ステップＳ９０２でオペレータがフォルダを選択した場合はステップＳ９０３に進む。ステップＳ９０３では、表示モードが展開モードか非展開モードかを判断する。表示モードは、フォルダ選択の際、フォルダを選択状態にとどめておくのか（非展開モード）、選択したフォルダのリスト内容を自動的に表示するのか（展開モード）を切り分けるためのモードである。この表示モードについては例えばデフォルトで展開モードに設定されており、また、他のＵＩ画面で、そのモードを切り分けることが可能である。この表示モードも、図１のＲＯＭ２００３あるいはＨＤＤ２００４に記録され、ＣＰＵ２００１で判断、処理される。
【００５６】
前述のステップＳ９０３で表示モードが展開モードである場合は、ステップＳ９０５に進み、選択されたフォルダの内容を含む表示フォルダを決定する。例えば図４の例では、フォルダ“ＡＡＡＡＡＡＡ”が選択されると、４（ａ）のテーブルより、リンク先を特定し、フォルダＩＤ２を表示フォルダとして決定する。次にステップＳ９０６に進み、前記選特定した表示フォルダのリストを表示する。前述したように、図６がステップＳ９０６で表示するＵＩ画面の一例である。このステップＳ９０５では、さらに、直前までにファイルが選択され、ファイル選択状態の表示がなされていた場合は、概ファイルの選択解除を行うことも可能である。この場合は、前述の図５の５０１において、例えば直前まで選択されていたファイル“ＢＢＢＢＢＢＢ”の選択欄のチェックマークを解除するなどの処理を行う。ステップＳ９０６でフォルダ画面を表示したら、次のオペレータの指示を待つために、ステップＳ９０２へ戻る。
【００５７】
前記ステップＳ９０３で、表示モードが非展開モードの場合は、ステップＳ９０４に進み、前記指定したフォルダを選択状態の表示にするのみにとどめる。選択状態の表示とは、例えば、図５のリスト５０１の選択の欄にチェックマークをつけるなどがある。そして次のオペレータの指示を待つために、ステップＳ９０２へ戻る。
【００５８】
前述のステップＳ９０２で、オペレータがファイルを選択した場合はステップＳ９０７に進む。ステップＳ９０７では、概選択されたファイルを選択状態の表示にする。選択状態の表示とは同様に、図５のリスト５０１の選択の欄にチェックマークをつけるなどがある。そしてステップＳ９０８へ進み、前記選択されたファイルの属性を判断し、ファイルに対する設定が一意に決まるか否かを判断する。ここでは、図４で説明した通り、概選択されたファイルが図４のファイル属性を判断することになる。あるいは、このステップで、前述したファイルサイズ制限などより判断してもかまわない。
【００５９】
前述のステップＳ９０８でＹｅｓの場合は、ステップＳ９０９へ進む。ステップＳ９０９では前記ステップＳ９０８で一意に決まる設定に対応するボタンを確定する。例えば、図５でファイル“ＢＢＢＢＢＢＢ”が選択された場合、図４のテーブルでは概ファイルのファイル属性が１となっている。従って、概ファイルは例えばプリント設定のみ可能なファイルと判断すされるため、ステップＳ９０９で設定ボタンが、プリント設定ボタンと確定される。そして、確定した設定ボタンを自動表示するために、後述するステップＳ９１０へ進む。前記ステップＳ９０８でＮｏの場合は、次のオペレータの指示を待つために、ステップＳ９０２へ戻る。
【００６０】
また、ここでは概選択したファイルの設定が一意に決まるか否かを判断し、設定ボタンを確定しているが、ステップＳ９０８の判断をスキップし、通常のファイル選択表示状態を表示するに留めることも可能である。この場合は、オペレータがファイルを選択後、オペレータが所望の設定ボタンを押下し、設定処理画面を開くフローとなる。
【００６１】
前述のステップＳ９０２で、オペレータが設定ボタンを選択した場合はステップＳ９１０へ進む。ステップＳ９１０では概選択された設定ボタンに応じて、その設定画面を表示する。例えばステップＳ９１０で選択したボタン、あるいはステップＳ９０９で確定したボタンがプリントするボタン５１０であった場合は前述した図７のＵＩ画面を表示する。そしてステップＳ９１１に進み、前記表示したＵＩ画面に対する設定処理を行い、各設定処理が終了あるいは別画面遷移などが行われたらステップＳ９０２に戻る。
【００６２】
次にステップＳ９０２でフォルダ操作ボタン５０４が選択されたらステップＳ９１２に進む。ステップＳ９１２では、フォルダ操作画面を表示しステップＳ９１３に進む。フォルダ操作画面は例えば前述した図８のＵＩ画面である。ステップＳ９１３では前記表示したＵＩ画面に対するフォルダ操作処理を行い、処理が終了あるいは別画面遷移などが行われたらステップＳ９０２に戻る。
【００６３】
次にステップＳ９０２でその他のファイル操作ボタン５０８が選択されたらステップＳ９１４に進む。ステップＳ９１４では、その他のファイル操作画面を表示しステップＳ９１５に進む。ステップＳ９１５では前記表示したＵＩ画面に対するその他のファイル操作処理を行い、処理が終了あるいは別画面遷移などが行われたらステップＳ９０２に戻る。
【００６４】
次にステップＳ９０２において、その他の各種ボタンが選択された場合はステップＳ９１６に進み、同様に各ボタンに対応した設定等の処理を行う。そしてステップＳ９１７へ進む。ステップＳ９１７では前記ステップＳ９１６で処理された内容が、操作終了あるいは、他のＵＩ画面遷移として、ステップＳ９０１で表示されたＵＩ画面の範囲外の処理であった場合は、終了する。そうでない場合は次のオペレータの指示を待つために、ステップＳ９０２へ戻る。
【符号の説明】
【００６５】
２０００  コントローラユニット
１００６  ＬＡＮ
１００８  公衆回線  ＷＡＮ
２００１  ＣＰＵ
２００２  ＲＡＭ
２００３  ＲＯＭ
２００４  ＨＤＤ
２００５  イメージバスＩ／Ｆ
２００６  操作部Ｉ／Ｆ
２００７  システムバス
２００８  画像バス
２０１０  ネットワークＩ／Ｆ
２０１２  操作部
２０２０  デバイスＩ／Ｆ
２０３０  画像回転部
２０４０  画像圧縮部
２０５０  モデム
２０６０  ＲＩＰ（ラスタイメージプロセッサ）
２０７０  スキャナ
２０８０  スキャナ画像処理部
２０９０  プリンタ画像処理部
２０９５  プリンタ
２０９６  ＵＳＢ  Ｉ／Ｆ
【図１】
2010258590.tif 000003
【図２】
2010258590.tif 000004
【図３】
2010258590.tif 000005
【図４】
2010258590.tif 000006
【図５】
2010258590.tif 000007
【図６】
2010258590.tif 000008
【図７】
2010258590.tif 000009
【図８】
2010258590.tif 000010
【図９】
2010258590.tif 000011